(57)【要約】      （修正有）【課題】電源不平衡時でも運転制御可能な場合には停止することなく運転すると共に、不平衡異常を検知した場合、又は検知回路の異常時には運転停止を行う手段を提供する。【解決手段】三相電源の電流センサー２、回転数設定手段３、能力設定手段４、運転制御手段５により、空調機の圧縮機起動からの電流と、空調機の能力により三相電源の電源不平衡を正確に検知し、多少の電源不平衡でも運転を可能にするとともに、不平衡電流設定手段により設定された電流値以下の場合には電源不平衡異常と判断して、空調機の運転を停止する。【選択図】図１
2008070075.tif 000002
【特許請求の範囲】
【請求項１】
電源電流を検知し電圧に変換する電流センサーと、空気調和機の起動後における不平衡検知時点での圧縮機の回転数を設定する回転数設定手段と、空調調和機の能力を設定する能力設定手段と、空調機の運転制御を行う運転制御手段からなり、空調機の圧縮機が回転数設定手段により指定された回転数になったとき、運転制御手段は、能力設定手段より予め決められた能力数での不平衡電圧異常に相当する電流値を算出し、この電流値以下の電流であれば電源不平衡異常と判断することを特徴とする空気調和機。
【請求項２】
請求項１に記載の空調和機において、圧縮機の起動時電流記憶手段を有し、運転制御手段は、起動後の圧縮機の回転数を検知し、所定の回転数において、前記電流センサーからの電圧が、圧縮機の起動時の電圧から変化しない場合には、電流センサー異常と判断することを特徴とする空気調和機。
【請求項３】
請求項１ないし請求項２のいずれかに記載の空調和機において、圧縮機起動時の電源不平衡異常と判断する電流値を設定する不平衡電流設定手段を有し、空調機が起動時に不平衡電流設定手段により設定された電流値以下の場合には電源不平衡異常と判断し、空調機の運転を停止することを特徴とする空気調和機。
【請求項４】
請求項１から請求項３のいずれかに記載の空調和機において、圧縮機起動後の一定時間を計時するタイマーを設け、起動時の電流値と、圧縮機起動後のタイマー時間経過後の電流値との傾きを計算し、その傾きが予め決められた不平衡異常と判断する傾きの範囲の場合には、電源不平衡異常と判定し、運転を停止することを特徴とする空気調和機。
【請求項５】
請求項１から４において、電源の不平衡異常時の異常検知を知らせる不平衡異常表示手段と、請求項２における電流センサーの異常を検知時に表示する電流センサー異常表示手段を設けて、電源電圧の不平衡異常を検知したときには不平衡異常表示手段を点灯させ、電流センサー異常を検知したときには電流センサー異常表示手段を点灯させることにより、電流センサーの異常とを区別することを特徴とする空気調和機。
【発明の詳細な説明】
【技術分野】
【０００１】
本発明は、カンレントトランス等の電流センサーを有する空気調和機の三相電源不平衡時における不平衡電圧異常の検知に関する。
【背景技術】
【０００２】
従来、この種の空気調和機では、例えば図７に記載された空気調和機がある。
【０００３】
図７において、三相電源１０１を直流電圧に整流する整流部１０２と、前記整流部にて整流された直流電圧を平滑する平滑部１０３と、前記平滑された直流電圧を電源とするインバータ１０４と、前記インバータにて駆動する三相電動機１０５と前記平滑された直流電圧を検出する電圧検出手段１０６と、前記電圧検出手段にて検出された電圧のリップル量を演算する制御部１０７を備えている。
【０００４】
そして、前記三相電動機１０５の始動後、前記制御部１０７にて検出されたリップル量が所定値以上で、且つ所定時間経過後であった場合は三相電源不平衡と判断して前記制御部１０７より前記インバータ１０４に停止信号を発信して前記三相電動機１０５を停させることで、不平衡が生じた場合不平衡を早く確実に検出しインバータ１０４に保護動作をかけることにより、不平衡状態での運転による制御装置の損傷等の不具合を回避することができる（例えば、特許文献１参照）。
【特許文献１】特開２００６−１８０６４９号公報
【発明の開示】
【発明が解決しようとする課題】
【０００５】
しかしながら、上記従来の構成では、入力された電源電圧の平滑後の電圧のリプル量を検知しているため、電源上に乗っている高調波ノイズや、電源電圧歪によるリップルでも不平衡と誤検知されてしまう。また、この方式では、三相不平衡と検知されれば運転可能でも停止するという課題を有していた。
【０００６】
本発明は、上記従来の課題を解決するものであり、三相電源の電流値を電流センサーにて検知し、空調機の圧縮機起動からの電流と、空調機の能力により電源不平衡異常を検知することで、電源不平衡を正確に検知し、多少の電源不平衡でも運転を可能にすると共に、インバータでない圧縮機での不平衡検知を可能とするものである。
【課題を解決するための手段】
【０００７】
上記課題を解決するため、本発明は、三相電源の電流を検知する電流センサーと、回転数設定手段と、空調機の能力を設定する能力設定手段とを空気調和機に設けたものである。
【０００８】
これにより、空調機の三相電源が不平衡状態でも、空気調和機の運転能力ごとに運転を可能にすると共に、電源不平衡の異常時にも正しく検知することを可能とし、圧縮機がインバータで無い場合にも検知が行え、さらに電流センサー自体の異常も検知するものである。
【発明の効果】
【０００９】
本発明の空気調和機は、三相電源の電流値を検知して行うことにより、圧縮機の制御方式によらずに多少の電源不平衡でも空気調和機の能力により運転制御を行うと共に、三相電源の不平衡時異常と電流センサーの異常の区別もすることができる。
【発明を実施するための最良の形態】
【００１０】
第１の発明は、電源の電流を検知し電圧に変換する電流センサーと、起動後の不平衡検知時の圧縮機回転数を設定する回転数設定手段と、空調調和機の能力を設定する能力設定手段と、空調調和機の運転制御を行う運転制御手段からなり、空気調和機の圧縮機が回転数設定手段により指定された回転数になったとき、運転制御手段は、能力設定手段より決められた能力数から不平衡異常電圧を算出し、この算出設定された異常電流値以下であれば不平衡異常による運転停止と判断して空調機の運転を停止させる。
【００１１】
第２の発明は、第１の発明の空調和機において、圧縮機の起動時の電流値を記憶する起動時電流記憶手段を設け、運転制御手段は、起動後の圧縮機の回転数を検知し、所定の回転数において、前記電流センサーからの電流値が起動時の電流値からの変化がない場合には、電流センサーの異常と判断する。
【００１２】
第３の発明は、第１の発明の空調和機において、起動時の電流値の異常を設定する起動時電流設定手段を有し、空調機が起動時に起動時電流設定手段により設定された電流値以下の場合に電源不平衡異常と判断し、空調の運転を停止する。
【００１３】
第４の発明は、第１の発明から第３の発明のいずれかの空気調和機に、起動後の一定時間を計時するタイマーを設け、起動時の電流値と、起動後タイマー時間経過後の電流値との傾きを計算し、その傾きが能力設定手段から設定された予め決められた傾き以下の場合には、電源不平衡異常と判定し、運転を停止する。
【００１４】
第５の発明は、特に、第１の発明から第４の発明のいづれかの発明の空気調和機に、電源の不平衡異常時の異常検知を知らせる不平衡異常表示手段と、電流センサーの異常を検知時に表示する電流センサー異常表示手段を設けて、電源電圧の不平衡異常を検知した際に、不平衡異常表示手段を点灯させ、電流センサー異常を検知したときには電流センサー異常表示手段を点灯させる。
【００１５】
以下、本発明の実施の形態について図面を参照しながら説明する。
【００１６】
（実施の形態１）
図１は、本発明の実施の形態１における空気調和機１のブロック図である。同図において、図１と同じ構成要素については同じ符号を用い説明を省略する。図６は、本実施例におけるタイミング図であり、以下図６を用いて動作を説明する。
【００１７】
図１において、空気調和機１は、電源からの電流を検知し電圧に変換する電流センサー電流センサー２、起動後の不平衡検知時の圧縮機回転数を設定する回転数設定手段３、空調機の能力を設定する能力設定手段４、室外機１の運転制御を行う運転制御手段５、インバータ１０４、３相電動機１０５からなる。
【００１８】
以上のように構成された空気調和機１の圧縮機が回転数設定手段５により指定された回転数（ｂ１）になったときの電流値（ｃ１）を検知し、運転制御手段６は、能力設定手段５より決められた能力数から異常電流値を算出し、この算出して設定された異常電流値以下で有れば不平衡異常による運転停止と判断して空調機の運転を停止させることができる。
【００１９】
（実施の形態２）
図２は、本発明の実施の形態２における空気調和機のブロック図であり、起動時の電流値を記憶する起動時電流記憶手段６を設けている。同図において、図１と同じ構成要素に
ついては同じ符号を用い説明を省略する。
【００２０】
以上のように構成された空気調和機１において、運転制御手段６は、圧縮機起動時の電流値（ａ１）を起動時電流記憶手段６に記憶し、起動後の圧縮機の回転数を検知し、所定の回転数において電流センサー２からの電流値（ｃ１）が、起動時電流記憶手段６に記憶された圧縮機起動時の電流値より変化が無い場合に、電流センサーの異常と判断する。
【００２１】
（実施の形態３）
図３は、本発明の実施の形態３における空気調和機のブロック図であり、起動時の電流値の異常を設定する起動時電流設定手段７を設けている。同図において、図１と同じ構成要素については同じ符号を用い説明を省略する。
【００２２】
以上のように構成された空気調和機１は、圧縮機が起動時の電流値（ａ１）が、起動時電流設定手段７により設定された電流値以下の場合に電源不平衡と判断し、空気調和機の運転を停止する。
【００２３】
（実施の形態４）
図４は、本発明の実施の形態４における空気調和機のブロック図であり、起動後の一定時間を計時するタイマー８を設けている。同図において、実施の形態３で説明した部分については同じ符号を用い説明を省略する。
【００２４】
以上のように構成された空気調和機１の運転制御手段５は、起動時の電流値（ａ２）と、タイマー８による起動後のタイマー時間経過後の電流値（ｂ２）との傾き（ｄ）を計算し、予め決められた傾き（ｅ）を能力設定手段４にて設定された能力値から算出し、タイマー時間経過後の電流値の傾き（ｄ）の値が、算出傾き（ｅ）以下の場合には、三相電源不平衡異常と判定し、運転を停止する。
【００２５】
（実施の形態５）
図５は、本発明の実施の形態５における空気調和機のブロック図である。同図において、実施の形態４で説明した部分については同じ符号を用い説明を省略する。
【００２６】
実施の形態１の空気調和機に、電源の不平衡異常時の異常検知を知らせる不平衡異常表示手段９と、電流センサーの異常を検知時に表示する電流センサー異常表示手段１０を設けている。
【００２７】
以上のように構成された空気調和機１は、電源電圧の不平衡異常を検知した際に、不平衡異常表示手段９を点灯させ、実施例２における電流センサー異常を検知したときには電流センサー異常表示手段１０を点灯させる。
【産業上の利用可能性】
【００２８】
以上のように本発明は、電流センサーの検知値から三相電源の不平衡異常を検知することができるので、空気調和機以外にも、三相電源を用いる他の大電力機器の保護にも適用することが出来る。
【図面の簡単な説明】
【００２９】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】本発明の実施の形態４における空気調和機の構成ブロック図
【図５】本発明の実施の形態５における空気調和機の構成ブロック図
【図６】本発明の実施の形態１から５における空気調和機のタイミング図
【図７】従来の空気調和機における構成ブロック図
【符号の説明】
【００３０】
１  空気調和機
２  電流センサー
３  回転数設定手段
４  能力設定手段
５  運転制御手段
６  起動時電流記憶手段
７  起動時電流設定手段
８  タイマー手段
９  不平衡異常表示手段
１０  電流センサー異常表示手段
【図１】
2008070075.tif 000003
【図２】
2008070075.tif 000004
【図３】
2008070075.tif 000005
【図４】
2008070075.tif 000006
【図５】
2008070075.tif 000007
【図６】
2008070075.tif 000008
【図７】
2008070075.tif 000009